(57)【特許請求の範囲】
【請求項１】
電極パッドを有する半導体素子、
上記電極パッドに、ウェッジボンド技術により一端を接続された断面がほぼ円形である金属リード、
上記半導体素子、上記電極パッドおよび上記金属リードの一部を覆う封止材を備え、
上記金属リードは、上記封止材からの引出し部分が上記金属リードの直径よりも大なる厚みの絶縁材で覆われており、上記金属リードにて外部との電気的接続を行うことを特徴とする半導体装置。
【請求項２】
電極パッドを有する半導体素子、
上記電極パッドに、ウェッジボンド技術により一端を接続された断面がほぼ円形である金属リード、
上記半導体素子、上記電極パッドおよび上記金属リードの一部を覆う封止材を備え、
上記金属リードは、上記封止材の側面に沿って配置され、その一部が上記封止材に埋め込まれ固定されており、上記金属リードにて外部との電気的接続を行うことを特徴とする半導体装置。
【請求項３】
電極パッドを有する半導体素子、
上記電極パッドに一端を接続された金属リード、
上記半導体素子、上記電極パッドおよび上記金属リードの一部を覆い、その側面に沿って上記金属リードが配置された封止材、
上記半導体素子をはめ込み固定する穴を有する配線基板、
上記配線基板の穴の側面に上記配線基板面に対して垂直に配置され、上記金属リードと接続される端子部を備え、
上記配線基板は、低熱膨張率かつ高弾性率の材料よりなる保持部材にて上記金属リードと上記端子部との接続を保持していることを特徴とする半導体装置。
【請求項４】
上記保持部材は、上記配線基板および上記半導体素子上に広く接続されていることを特徴とする請求項３記載の半導体装置。
【請求項５】
半導体素子上の電極パッドに金属リードを接続し、上記半導体素子、上記電極パッドおよび上記金属リードの一部を熱可塑性の樹脂である封止材にて封止する工程、上記封止材外部にある上記金属リードを、金属リード曲げ加工金型にて、上記封止材の側面に沿うように成形する工程、上記金属リードの一部を、加熱可能な金型にて上記封止材中に埋め込み固定する工程を含むことを特徴とする半導体装置の製造方法。
【請求項６】
半導体素子の電極パッドに接合された金属リードの先端に金属球を形成し、上記半導体素子、上記電極パッドおよび上記金属リードを封止材で覆う工程、
上記封止材をレーザにて除去し上記金属リード先端の金属球を露出させ、上記金属球表面を清浄化する工程、レベリングツールを用いて上記金属球の高さをそろえる工程を含むことを特徴とする半導体装置の製造方法。
【発明の詳細な説明】
【０００１】
【発明の属する技術分野】
この発明は、ＱＦＰ（Quad Flat Pack）に代表されるプラスチックパッケージ、特に超小型の半導体装置およびその製造装置並びにその製造方法に関する。
【０００２】
【従来の技術】
図２１〜図２５は、従来の代表的なパッケージの構成を示す図である。図において、１は半導体素子、３は封止材、２８はインナーリード、２９、３１は電極パッド、３０、３６はリード、３２はＵＢＭ（Under Bump Metal）、３３、３５、３９はバンプ、３４は配線基板、３７はダイボンディング部、３８は金属ベース、Ａは半導体素子の幅、Ｂはパッケージの幅をそれぞれ示す。
従来のリードフレームを用いるパッケージでは、図２１に示すように、インナーリード２８の加工限界から、半導体素子１の幅Ａに対してパッケージの幅Ｂが大きくなる。また、図２２は、ＴＡＢテープを用いたパッケージであり、半導体素子１上の電極パッド２９の配置に応じてリード３０のパターンが用意される。
また、図２３に示すように、めっきによりバンプ３３を形成するパッケージでは、電極パッド３１上にＵＢＭ３２を形成した後にバンプ３３を形成する必要がある。さらに、図２４に示すように、バンプ３５を用いる接続形態では、配線基板３４の熱膨張および収縮により、バンプ３５に応力が発生しやすい。また、特開平３−９４４５９号公報では、図２５に示すように、封止材３外部に形成された金属ベース３８上に配置されたバンプ３９と半導体素子１が、金属リード３６で接続されるパッケージ構造が提案されている。
【０００３】
【発明が解決しようとする課題】
上記のように構成された従来のパッケージでは、以下のような問題点がある。まず、図２１に示すリードフレームを用いるパッケージでは、インナーリード２８の加工限界から、十分なパッケージの小型化が望めない。また、ＴＡＢテープを用いるパッケージにおいては、図２２（ａ）、（ｂ）に示すように半導体素子１の電極パッド２９の配置が異なる場合、それぞれに対応するリード３０のパターンを用意する必要があり、汎用性に乏しい。また、図２３に示すめっきによりバンプ３３を形成する方法では、電極パッド３１表面にＵＢＭ３２を形成する必要があり、一般に用いられている半導体素子を用いることができない。さらに、バンプを用いる接続形態では、図２４に示すようにバンプ３５に応力が発生しやすく、接続の安定性が低く、信頼性に問題がある。また、特開平３−９４４５９号公報で提案された図２５に示すパッケージにおいては、製造工程が従来に比べて複雑化しており、コスト低減が困難であるという問題がある。
【０００４】
本発明は、上記のような問題点を解消するためになされたもので、汎用性があり、高い信頼性を有する安価で小型な半導体装置と、これを製造するための製造方法を提供するものである。
【０００５】
【課題を解決するための手段】
この発明に係わる半導体装置は、電極パッドを有する半導体素子と、電極パッドに、ウェッジボンド技術により一端を接続された断面がほぼ円形である金属リードと、半導体素子、電極パッドおよび金属リードの一部を覆う封止材を備え、金属リードは、封止材からの引出し部分が金属リードの直径よりも大なる厚みの絶縁材で覆われており、金属リードにて外部との電気的接続を行うものである。
【０００６】
また、電極パッドを有する半導体素子と、電極パッドに、ウェッジボンド技術により一端を接続され、その断面がほぼ円形である金属リードと、半導体素子と、電極パッドおよび金属リードの一部を覆う封止材を備え、金属リードは、封止材の側面に沿って配置され、その一部が封止材に埋め込まれ固定されており、金属リードにて外部との電気的接続を行うものである。
【０００７】
また、電極パッドを有する半導体素子と、電極パッドに一端を接続された金属リードと、半導体素子と、電極パッドおよび金属リードの一部を覆い、その側面に沿って金属リードが配置された封止材と、半導体素子をはめ込み固定する穴を有する配線基板と、配線基板の穴の側面に配線基板面に対して垂直に配置され、金属リードと接続される端子部を備え、配線基板は、低熱膨張率かつ高弾性率の材料よりなる保持部材にて金属リードと端子部との接続を保持しているものである。
また、保持部材は、配線基板および半導体素子上に広く接続されているものである。
【０００８】
また、この発明に係わる半導体装置の製造方法は、半導体素子上の電極パッドに金属リードを接続し、半導体素子、電極パッドおよび金属リードの一部を熱可塑性の樹脂である封止材にて封止する工程と、封止材外部にある金属リードを、金属リード曲げ加工金型にて封止材の側面に沿うように成形する工程と、金属リードの一部を、加熱可能な金型にて封止材中に埋め込み固定する工程を含んで製造するようにしたものである。
【０００９】
さらに、半導体素子の電極パッドに接合された金属リードの先端に金属球を形成し、半導体素子、電極パッドおよび金属リードを封止材で覆う工程と、封止材をレーザにて除去し金属リード先端の金属球を露出させ、金属球表面を清浄化する工程と、レベリングツールを用いて金属球の高さをそろえる工程を含んで製造するようにしたものである。
【００１０】
【発明の実施の形態】
実施の形態１．
図１は、本発明の実施の形態１における半導体装置の構成を示す断面図である。図において、１は一般に用いられる半導体素子、１ａは半導体素子１上に形成された電極パッド、２は金属リード、３は封止材をそれぞれ示す。本実施の形態による半導体装置は、従来用いられてきたリードフレームやＴＡＢテープを用いることなく、半導体素子１上の電極パッド１ａと外部との電気信号入力を、金属リード２のみで行うことを特徴とするものである。
【００１１】
以下に、本発明の実施の形態１による半導体装置の構成および製造方法について説明する。金属リード２の断面はほぼ円形であり、その直径は、電極パッド１ａの間隔や所望のパッケージサイズに応じて、５０〜１００ｕｍのものを用いることができる。接続方法としては、ワイヤのままで接合するウェッジボンド技術や、ワイヤ先端にボールを形成するボールボンド技術等のワイヤボンド技術を用いる。金属リード２の主材料には、Ａｕ、Ａｌの他にＡｇ、Ｃｕを用いることができる。さらに、半導体素子１を樹脂材料等の封止材３を用いて封止し、図１に示す半導体装置を製造することができる。
金属リード２としては、金属リード単体のみでなく、図２に示すように表面に低融点ろう材２ａを被覆した金属リード２を用いても良い。この場合の金属リード２の接合方法としては、上述のワイヤボンド技術以外に、金属の溶融現象を利用するマイクロソルダリング技術を用いることができる。
さらに、金属リード２相互間および金属リード２と半導体素子１間の絶縁性を高めるために、図３に示すような絶縁被覆材２ｂを最外層面に施した金属リード２を用いても良い。この場合、絶縁被覆材２ｂを除去するために、レーザを搭載したワイヤボンド装置を用いる。レーザの波長は絶縁被覆材２ｂを除去でき、かつ、低融点ろう材２ａおよび金属リード２に影響を及ぼさない範囲から選択する。この波長域のレーザを用いて、図４に示すように、電極パッド１ａへの接合前に絶縁被覆材２ｂの除去を行うことにより、電極パッド１ａと金属リード２の接合の安定化が図られ、信頼性が向上する。
【００１２】
電極パッド１ａへ金属リード２を接続する工程では、図５に示すチップキャリア４を用いる。チップキャリア４は、一個以上の半導体素子１を搭載することができる。また、チップキャリア４は、ろう付け可能部４ａを有し、金属リード２の一端を接続、保持することができ、ワイヤボンド装置が有する高度な位置決め精度で金属リード２を成形できる。さらに、チップキャリア４に、図６に示すような突起４ｂを設けることにより、金属リード２をワイヤボンド装置に備えられた切断工具５を用いて切断する工程を容易に実現できる。また、チップキャリア４は、図７に示すように、半導体素子１を保持するメインキャリア４ｃと、ろう付け可能部を有するサブキャリア４ｄに分離できるように構成しても良い。この場合、サブキャリア４ｄのみをチップキャリア清浄化装置に投入し、図８に示すように、ろう付け可能部４ａに残存する金属リード２を除去し、さらにろう付け可能部４ａ表面の平坦化、清浄化を行うことができる。金属リード２の除去には、ヒーター６による接触および雰囲気加熱により、金属リード２をろう付け可能部４ａから溶解、離脱させる技術を用いる。この時同時に、ろう付け可能部４ａ表面の平坦化を行うことができる。また、ろう付け可能部４ａの表面の清浄化には、プラズマ７を用いることができる。
【００１３】
また、本実施の形態における半導体装置は、図９に示すように絶縁材８を有する形態をとることもできる。このとき、絶縁材８の厚みは、金属リード２の直径よりも大きくすることが望ましい。絶縁材８により、金属リード２相互間の絶縁性が高まり、信頼性が向上する。絶縁材８を有する半導体装置の製造工程を図１０に示す。まず、金属リード２を接続した半導体素子１を圧着ステージ１０に搭載し（図１０（ａ））、上部から絶縁材８を保持した圧着ツール９を下降させ、圧着ステージ１０と圧着ツール９の間に金属リード２と絶縁材８を挟み込むようにして加熱、加圧を行い（図１０（ｂ））、金属リード２を絶縁材８で包み込むことができる。絶縁材８としては、加熱により容易に軟化する熱可塑性の樹脂を用いることができる。その形態としては、予めシート状に加工したものを用いることができる。また、液状の樹脂を用いることもでき、別途供給装置（図示せず）により供給するか、もしくは圧着ツール９から供給する。なお、本例では、半導体素子１が電極パッド１ａを上部に有する場合の製造工程について示したが、下部または側面に有する場合についても同様の方法で実施可能である。この後、絶縁材部分をクランプすることにより容易に封止工程を行うことができ、従来のリードフレームタイプのパッケージと同様に、従来装置（図示せず）を用いることができる。また、リード加工工程は、予め金属リード２が切断されており、余分な支持部材がないため、従来よりも簡略化することができる。
【００１４】
以上のように、本実施の形態によれば、半導体素子１上の電極パッド１ａと外部との電気信号入力を、金属リード２のみで行うようにしたので、汎用性が高く、超小型な半導体装置を提供することが可能である。また、従来の製造装置を用いることができ、さらに簡略化される工程もあるため、製造コストが抑えられ、安価に製造することができる。
【００１５】
実施の形態２．
図１１は、本発明の実施の形態２における半導体装置の構成を示す断面図である。図中、同一、相当部分には同一符号を付し、説明を省略する。本実施の形態による半導体装置は、金属リード２が封止材３の側面に沿って配置され、金属リード２の一部が封止材中に埋め込まれ、固定されていることを特徴とする。
以下に、図１２を用いて製造工程を説明する。上記実施の形態１と同様に、電極パッド１ａに絶縁材８を有する金属リード２が接続された半導体素子１を、熱可塑性の樹脂である封止材３にて封止する（図１２（ａ）、（ｂ））。これをステージ１２に搭載し、第１金型１１および第２金型１３により金属リード２をおおよそ封止材３の外形に沿うように成形する（図１２（ｃ）、（ｄ））。その後、加熱、加圧金型１４を用いて金属リード２を封止材３中に埋め込み固定する（図１２（ｅ））。以上の工程により、図１１に示す半導体装置が製造できる。
【００１６】
本実施の形態による半導体装置は、通常の配線基板上に表面実装することも可能であるが、図１３に示す配線基板１５を用いることにより、さらに薄型の製品となる。図１３（ａ）は、配線基板１５の平面図、図１３（ｂ）は、そのＡ−Ｂ断面図である。配線基板１５は、半導体装置を実装するための穴である半導体装置実装部１５ａを有し、その側面に配線基板１５面と垂直に配置された端子部である配線１５ｂを有する。本実施の形態による半導体装置は、図１４に示す実装装置を用いて、配線基板１５に実装することができる。本実装装置は、加熱、加圧、超音波振動印加が可能な半導体装置実装ヘッド１６を搭載していることが望ましい。半導体装置実装ヘッド１６は、半導体装置保持部１６ａ、超音波ホーン１６ｂ、超音波振動子１６ｃ、ヒーター１６ｄ、加圧機構１７からなり、外部にヒーター１６ｄ用の電源１９および真空吸着用の真空発生装置２０を具備する。また、配線基板１５を保持するステージ１８側にもヒーター１８ａを具備し、外部にヒーター１８ａ用の電源１９と基板保持用の真空発生装置２０を具備する。図１４では、半導体装置実装ヘッド１６とステージ１８が電源１９および真空発生装置２０を共有している例を示したが、別個に用意しても良い。
【００１７】
この半導体装置実装ヘッド１６を用いることにより、半導体装置を容易に配線基板１５の半導体装置実装部１５ａに挿入でき、また、配線１５ｂと金属リード２の接触、接続を行うことができる。この時、半導体装置の実装中には配線基板１５を十分に加熱することにより半導体装置実装部１５ａを拡大しておき（図１５（ａ））、実装後に冷却することにより半導体装置実装部１５ａが収縮し、配線１５ｂと金属リード２の電気的接続が保たれる。このようにして、図１５（ｂ）に示すようなきわめて薄型の製品ができる。この時、図１６に示すように、半導体装置実装部１５ａの膨張による配線１５ｂと金属リード２の接続部の劣化を防止するために、低熱膨張率かつ高弾性率の材料よりなる保持部材２１を配線基板１５に接続してもよい。接続層２２には、接着剤を用いるか、または機械的な固定でもよい。さらに、半導体装置からの発熱を外部に放散する効率を高めるために、図１７に示すように、保持部材２１を配線基板１５および半導体素子１上に広く接続してもよい。保持部材２１の材料としては、例えばＭｏ等を主材料とすることが望ましい。さらに、熱伝導率を高めるために、Ｃｕ等の熱伝導率の高い材料と積層してもよく、また、Ｃｕ等が分散された材料を用いてもよい。
【００１８】
実施の形態３．
図１８は、本発明の実施の形態３における半導体装置の構成を示す断面図である。図中、同一、相当部分には同一符号を付し、説明を省略する。本実施の形態による半導体装置は、金属リード２を半導体素子１の電極パッド１ａが配置されている面から垂直に封止材３を通して外部に出し、金属リード２の外部端に金属バンプ２ｃを形成したことを特徴とする。
【００１９】
図１９、図２０は、本実施の形態の半導体装置の製造方法を示す図であり、図において２３は後に金属バンプ２ｃとなる金属球、２４は通常のボンディングツール、２５はボンディングステージ、２６はレベリングツール、２７はレベリングステージである。まず、図１９に示すように、ボンディングツール２４を用いてワイヤボンドを行う工程において、金属リード２の切断時にレーザを用い、所望の高さで金属リード２を切断するとともに、少なくとも金属リード２の半導体素子１側の切断端に金属球２３を形成できるワイヤボンド装置を用いる。この工程の後に、封止材３で全体を包み、図２０に示す用にレーザにて表面の封止材３を除去して金属球２３を露出させると同時に金属球２３表面を清浄化する（図２０（ａ）、（ｂ））。続いて、レベリングステージ２７上でレベリングツール２６を用いて金属球２３の高さをそろえ（図２０（ｃ））、これを金属バンプ２ｃとする（図２０（ｄ））。以上の方法により、超小型で金属バンプ２ｃが面配置となる半導体装置を容易に得ることができる。
【００２０】
【発明の効果】
以上のように、この発明によれば、半導体素子の電極パッドと外部との電気信号入力を、金属リードのみで行うようにしたので、汎用性が高く、超小型な半導体装置を安価に提供することが可能である。
【図面の簡単な説明】
【図１】この発明の実施の形態１である半導体装置を示す断面図である。
【図２】この発明の実施の形態１である半導体装置の金属リードを示す断面図である。
【図３】この発明の実施の形態１である半導体装置の金属リードを示す断面図である。
【図４】この発明の実施の形態１である半導体装置の金属リード表面の絶縁被覆膜除去工程を示す断面図である。
【図５】この発明の実施の形態１である半導体装置の製造に用いるチップキャリアを示す断面図である。
【図６】この発明の実施の形態１である半導体装置の製造に用いるチップキャリアを示す断面図である。
【図７】この発明の実施の形態１である半導体装置の製造に用いるチップキャリアを示す断面図である。
【図８】この発明の実施の形態１である半導体装置の製造に用いるチップキャリアの清浄化方法を示す断面図である。
【図９】この発明の実施の形態１である半導体装置を示す断面図である。
【図１０】この発明の実施の形態１である半導体装置の製造方法を示す断面図である。
【図１１】この発明の実施の形態２である半導体装置を示す断面図である。
【図１２】この発明の実施の形態２である半導体装置の製造方法を示す断面図である。
【図１３】この発明の実施の形態２である半導体装置を実装する配線基板を示す平面図および断面図である。
【図１４】この発明の実施の形態２である半導体装置を実装するための実装装置を示す図である。
【図１５】この発明の実施の形態２である半導体装置の実装工程を説明するための図である。
【図１６】この発明の実施の形態２である、配線基板に実装後の半導体装置を示す断面図である。
【図１７】この発明の実施の形態２である、配線基板に実装後の半導体装置を示す断面図である。
【図１８】この発明の実施の形態３である半導体装置を示す断面図である。
【図１９】この発明の実施の形態３である半導体装置の製造装置を示す断面図である。
【図２０】この発明の実施の形態３である半導体装置の製造工程を示す断面図である。
【図２１】従来のリードフレームを用いた半導体装置を示す平面図である。
【図２２】従来のＴＡＢテープを用いた半導体装置を示す平面図である。
【図２３】従来の半導体装置の電極パッドを示す断面図である。
【図２４】従来の半導体装置を示す断面図である。
【図２５】従来の半導体装置を示す断面図である。
【符号の説明】
１  半導体素子、１ａ 電極パッド、２  金属リード、
２ａ  低融点ろう材、２ｂ 絶縁被覆材、２ｃ  金属バンプ、３  封止材、
４  チップキャリア、４ａ ろう付け可能部、４ｂ  突起、
４ｃ  メインキャリア、４ｄ サブキャリア、５  切断工具、６  ヒーター、
７  プラズマ、８ 絶縁材、９  圧着ツール、１０  圧着ステージ、
１１  第１金型、１２ ステージ、１３  第２金型、１４  加熱、加圧金型、
１５  配線基板、１５ａ 半導体装置実装部、１５ｂ  配線、
１６  半導体装置実装ヘッド、１６ａ 半導体装置保持部、
１６ｂ  超音波ホーン、１６ｃ 超音波振動子、１６ｄ  ヒーター、
１７  加圧機構、１８ ステージ、１８ａ  ヒーター、１９  電源、
２０  真空発生装置、２１ 保持部材、２２  接続層、２３  金属球、
２４  ボンディングツール、２５ ボンディングステージ、
２６  レベリングツール、２７ レベリングステージ、
２８  インナーリード、２９、３１ 電極パッド、３０、３６  リード、
３２  ＵＢＭ、３３、３５、３９ バンプ、３８  金属ベース。
【図１】
0003548671.tif 000002
【図２】
0003548671.tif 000003
【図３】
0003548671.tif 000004
【図４】
0003548671.tif 000005
【図５】
0003548671.tif 000006
【図６】
0003548671.tif 000007
【図７】
0003548671.tif 000008
【図８】
0003548671.tif 000009
【図９】
0003548671.tif 000010
【図１０】
0003548671.tif 000011
【図１１】
0003548671.tif 000012
【図１２】
0003548671.tif 000013
【図１３】
0003548671.tif 000014
【図１４】
0003548671.tif 000015
【図１５】
0003548671.tif 000016
【図１６】
0003548671.tif 000017
【図１７】
0003548671.tif 000018
【図１８】
0003548671.tif 000019
【図１９】
0003548671.tif 000020
【図２０】
0003548671.tif 000021
【図２１】
0003548671.tif 000022
【図２２】
0003548671.tif 000023
【図２３】
0003548671.tif 000024
【図２４】
0003548671.tif 000025
【図２５】
0003548671.tif 000026